(57)【要約】      （修正有）【課題】産業廃棄物を有効活用した視覚障害者誘導用標示を提供する。【解決手段】視覚障害者誘導用標示１０は、平面視において矩形であり、その表面に、点状突起１２または線状突起が一体に形成された薄板状の本体１１を有する。本体１１は、メタクリル酸メチル樹脂に、少なくとも磁器粒子および貝殻粒子が骨材として混合されて硬化された構成材からなる。本体１１の表面全体に、滑り止め用の多数の微小突起１３が一体に形成されている。【選択図】図３
0003172721.tif 000002
【実用新案登録請求の範囲】
【請求項１】
視覚障害者に対する誘導または段差の存在などを警告もしくは注意喚起を行うために路面に敷設される標示材であって、
平面視において、縦寸法および横寸法が所定の長さを有する矩形であり、その表面に、ＪＩＳ規格に従う点状突起または線状突起が一体に形成された薄板状の本体を有し、
前記本体は、メタクリル酸メチル樹脂に、少なくとも磁器粒子および貝殻粒子が骨材として混合されて硬化された構成材からなり、
前記本体の表面全体に、滑り止め用の多数の微小突起が一体に形成されていることを特徴とする、視覚障害者誘導用標示。
【請求項２】
前記本体は、前記骨材としての磁器粒子および貝殻粒子を、４０〜６０重量％含有することを特徴とする、請求項１記載の視覚障害者誘導用標示。
【請求項３】
前記骨材は、さらに、陶器粒子を含むことを特徴とする、請求項１または２記載の視覚障害者誘導標示。
【請求項４】
前記骨材における貝殻粒子は、ホタテ貝殻の粒子を含み、当該粒子の粒径は４０〜２００μｍであり、含有量が２〜１０重量％であることを特徴とする、請求項１〜３のいずれかに記載の視覚障害者誘導用標示。
【考案の詳細な説明】
【技術分野】
【０００１】
この考案は、視覚障害者に対する誘導または段差の存在などを警告もしくは注意喚起を行うために路面に敷設される標示板に関する。
【背景技術】
【０００２】
視覚障害者誘導用標示または視覚障害者誘導用ブロックは、一般的には点字ブロックと呼ばれており、１９６５年に日本人により発明され、世界中に広まっている。
当該誘導用標示の形態は、ＪＩＳ規格に定められており、その表面に線状の突起を有し、歩行者を誘導する方向性を意味する誘導標示と、その表面に点状突起を有し、歩行者に「とまれ」など注意喚起を与えるための警告標示との２種類が存在する。
【０００３】
従来の誘導用標示は、樹脂やモルタル等の材料で形成されているが、産業廃棄物としての貝殻、特にホタテ貝殻を構成材料として使用したものは存在しない。
一方、特許文献１には、ホタテ貝殻入り溶融型道路標示材が提案されているが、溶融型道路標示材と誘導用標示とでは、要求される強度や耐久性が異なり、単にホタテ貝殻を混合しただけでは、良好な誘導用標示を得ることができない。
【先行技術文献】
【特許文献】
【０００４】
【特許文献１】実用新案登録第３１００９４９号公報
【考案の概要】
【考案が解決しようとする課題】
【０００５】
この考案は、上述の背景のもとになされたものであり、産業廃棄物を有効活用し、要求される性能を満たす視覚障害者誘導用標示を提供することを主たる目的とする。
この考案は、また、産業廃棄物として生じる貝殻の有効活用を図ることのできる視覚障害者誘導用標示を提供することを他の目的とする。
【課題を解決するための手段】
【０００６】
この考案は、視覚障害者に対する誘導または段差の存在などを警告もしくは注意喚起を行うために路面に敷設される標示材であって、平面視において、縦寸法および横寸法が所定の長さを有する矩形であり、その表面に、ＪＩＳ規格に従う点状突起または線状突起が一体に形成された薄板状の本体を有し、前記本体は、メタクリル酸メチル樹脂に、少なくとも磁器粒子および貝殻粒子が骨材として混合されて硬化された構成材からなり、前記本体の表面全体に、滑り止め用の多数の微小突起が一体に形成されていることを特徴とする、視覚障害者誘導用標示である。
【０００７】
前記本体に含まれる前記骨材としての磁器粒子および貝殻粒子は、４０〜６０重量％であることが好ましく、かかる含有割合であれば誘導用標示の耐久性が向上する。
さらに、前記骨材には、陶器粒子が含まれていてもよい。
より好ましい構成としては、骨材に含まれる貝殻粒子は、ホタテ貝殻粒子を含み、当該ホタテ貝殻粒子の粒径は４０〜２００μｍであって、その含有量は２〜１０重量％が望ましい。
【考案の効果】
【０００８】
この考案によれば、本体がメタクリル酸メチル樹脂を硬化させたものであり、適度な弾力性があるので、路面形状に合わせて設置し易い。また、本体には骨材としての少なくとも磁器粒子および貝殻粒子が混合されているから、廃棄物の有効活用が図れるとともに、誘導用標示の耐久性等を、要求される性能を満たすものとすることができる。
さらに、本体表面全体には滑り止め加工が施されており、雨天時等において、歩行者が滑りにくいという効果も奏する。
【図面の簡単な説明】
【０００９】
【図１】図１は、この考案の一実施例に係る点状突起を有する視覚障害者誘導用標示の斜視図である。
【図２】図２は、この考案の一実施例に係る線状突起を有する視聴覚障害者誘導用標示の斜視図である。
【図３】図３は、この考案の一実施例に係る点状突起を有する視聴覚障害者誘導用標示の平面図および側面図である。
【図４】図４は、この考案の一実施例に係る線状突起を有する視聴覚障害者誘導用標示の平面図および側面図である。
【考案を実施するための形態】
【００１０】
以下には、図面を参照して、この考案の実施例について具体的に説明をする。
図１は、この考案の一実施例に係る点状突起１２を備えた視覚障害者誘導用標示１０の斜視図であり、図３はその平面図および側面図を示している。
誘導用標示１０は、平面視が正方形状をした薄い板状の本体１１を有する。本体１１の表面には、ＪＩＳ規格に従う複数の点状突起１２が備えられている。点状突起１２は、本体１１と一体に形成されている。
【００１１】
本体１１は、平面視において、縦寸法および横寸法が、たとえば３００ｍｍの長さをした正方形であり、その厚みｄは、たとえばｄ＝２ｍｍである。
この本体１１の表面上に５×５のマトリックス状に、２５個の点状突起１２が設けられている。各点状突起１２は、扁平な円錐台形状をし、円形上面は直径ａ＝１２ｍｍ、円形下部輪郭の直径ａ′は、ａ′＝ａ＋１０ｍｍで、隣接する点状突起１２との中心間距離ｂは、ｂ＝５５〜６０ｍｍである。また、点状突起１２の高さｃは、ｃ＝５ｍｍである。
【００１２】
本体１１の表面全体には、拡大図に示すように、滑り止め用の多数の微小突起が形成されている。この多数の微小突起１３により、歩行者が当該標示の上を歩いても、足を滑らせにくくされている。滑り止め用微小突起１３は、円錐形状をしており、歩行者の靴底等が滑りにくい。
視覚障害者誘導用標示１０は、１枚が上述の形状であり、これらが必要に応じて並べて敷設される。
【００１３】
図２は、線状突起２２を有する視覚障害者誘導用標示２０の斜視図であり、図４はその誘導用標示２０の平面図および側面図を示す。
線状突起２２を有する視覚障害者誘導用標示２０も、平面視が、たとえば一辺３００ｍｍの大きさの正方形状をした薄板状の本体２１を有する。本体２１の厚みｅは、この実施例においても、たとえばｅ＝２ｍｍである。
【００１４】
本体２１の表面には、本体の一辺２１ａに沿って延びる線状突起２２が、その一辺２１ａと直交する辺２１ｂ方向に等間隔あけて４本備えられている。線状突起２２は、扁平な長尺台形で、上部平面の長手方向寸法ｄは、ｄ＝２７０ｍｍ以上、短手方向寸法ａは、ａ＝１７ｍｍである。そして、線状突起２２の下端部における長手方向寸法ｄ′は、ｄ′＝ｄ＋１０ｍｍ、短手方向寸法ａ′は、ａ′＝ａ＋１０ｍｍである。また、各線状突起２２の中心間の間隔ｂは、ｂ＝７５ｍｍである。
【００１５】
本体２１の表面全体にも、拡大図に示すように、滑り止め用の多数の微小突起２３が形成されている。この多数の微小突起２３により、歩行者が当該標示の上を歩いても、足を滑らせにくくされている。滑り止め用微小突起２３は、円錐形状をしており、歩行者の靴底等が滑りにくい。
この考案の特徴は、視覚障害者誘導用標示１０、２０の本体１１、２１の材質にある。
【００１６】
視覚障害者誘導用標示１０、２０は、メタクリル酸メチル樹脂に、骨材として磁器粒子および貝殻粒子が混合されて硬化されることにより作られている。製造方法としては、金型により点状突起１２を有する視覚障害者誘導用標示１０または線状突起２２を有する視覚障害者誘導用標示２０を作るためのシリコン型を形成する。そして、メタクリル酸メチル樹脂（液体）に骨材としての磁器粒子および貝殻粒子ならびに必要に応じて黄色顔料、硬化剤などを混合した材料流体を、シリコン型に流し込み、重合反応を用いて硬化させ、目的物を得る。
【００１７】
本体１１、２１を形成する材料中における骨材としての磁器粒子および貝殻粒子の含有割合は、４０〜６０重量％であることが望ましい。すなわち、メタクリル酸メチル樹脂１００重量に対しほぼ同量前後の骨材を混合することにより、得られた視覚障害者誘導用標示１０、２０は、所望の強度および耐久性を有するものとなることが、試作段階で確認された。
【００１８】
骨材としては、さらに、陶器粒子が混合されてもよい。
また、骨材に含まれる貝殻粒子は、ホタテ貝殻の粒子が好ましく、ホタテ貝殻粒子の粒径は４０〜２００μｍで、２〜１０重量％の含有率とするのが、試作上好ましいことが確認された。さらに好ましくは、５重量％程度である。
この考案により製造される視覚障害者誘導用標示１０、２０は、メタクリル酸メチル樹脂を使用した一体成形接着式のため、適度の弾力性があり、剥離や破損しにくく、設置する路面形状に合わせて、好適に設置することができる。
【００１９】
また、本体１１、２１の表面全体には、細かな滑り止め用の多数の微小突起１３、２３が設けられており、歩行者は雨天時に当該標示上を歩いても滑りにくい。
また、この考案に係る視覚障害者誘導用標示１０、２０は、骨材として、磁器粒子、貝殻粒子、陶器粒子等が使用されており、これら磁器粒子、貝殻粒子、陶器粒子は廃棄物の有効活用の途を拡げるものであり、産業政策的にも廃棄物の有効活用に寄与できる効果を有する。
【００２０】
さらに、この考案の視覚障害者誘導用標示１０、２０は、路面敷設時に、切削等の作業が不要で施工が短時間で済むという利点がある。また、特別な施工機械を使用しないので、狭い場所でも施工できる。
さらにまた、本体１１、２１の寸法単位で補修ができるため、修復補修も容易であるという利点がある。
【００２１】
その他、実用新案登録請求の範囲に記載された事項の範囲で種々の設計変更を施すことが可能である。
【符号の説明】
【００２２】
１０、２０    視覚障害者誘導用標示
１１、２１    本体
１２          点状突起
２２          線状突起
１３、２３    滑り止め用微小突起
【図１】
0003172721.tif 000003
【図２】
0003172721.tif 000004
【図３】
0003172721.tif 000005
【図４】
0003172721.tif 000006